(57)【要約】【課題】  従来のサイホン便器では、サイホン切れ音の発生を防止するための導気管を設けることにより、この導気管が新たな音の発生源となり、その音が水洗大便器の使用者に不快感を与えていた。【解決手段】  給水手段からボウル６に洗浄水を導くように形成された導水路９と、ボウル６の排出口に接続され、ボウル６内の汚物を排出するトラップ１５と、トラップ１５の上流部に形成された導気孔３０と、一端が導気孔３０に連通され、一部に空気を吸気する吸気孔２０を有する導気通路２４と、吸気孔２０に装着され、吸音性もしくは消音性を有する音低減部材２８とを有しているので、吸音性もしくは消音性を有する音低減部材２８により導気通路２４内の共鳴音を低減することができ、導気通路２４から導気通路２４外に伝播する共鳴音を小さくすることができる。【選択図】        図２
2007321353.tif 000002
【特許請求の範囲】
【請求項１】
便器本体のボウルを洗浄し、該ボウル内の溜水をサイホン作用により排出する水洗大便器であって、
給水手段から前記ボウルに洗浄水を導くように形成された導水路と、
前記ボウルの排出口に接続され、該ボウル内の汚物を排出するトラップと、
該トラップの上流部に形成された導気孔と、
一端が導気孔に連通され、一部に空気を吸気する吸気孔を有する導気通路と、
前記吸気孔に装着され、吸音性もしくは消音性を有する音低減部材と、を有することを特徴とする水洗大便器。
【請求項２】
便器本体のボウルを洗浄し、該ボウル内の溜水をサイホン作用により排出する水洗大便器であって、
給水手段から前記ボウルに洗浄水を導くように形成された導水路と、
前記ボウルの排出口に接続され、該ボウル内の汚物を排出するトラップと、
該トラップの上流部に形成された導気孔と、
一端が前記導気孔に連通され、他端が大気に開放されている吸気孔に連通された導気通路と、
前記吸気孔に装着され、吸音性もしくは消音性を有する音低減部材と、を有することを特徴とする水洗大便器
【請求項３】
便器本体のボウルを洗浄し、該ボウル内の溜水をサイホン作用により排出する水洗大便器であって、
洗浄水を吐出させるゼット孔が底部に形成されたボウルと、
前記ゼット孔から給水すべき洗浄水を収容するゼット用洗浄水タンクと、
該ゼット用洗浄水タンクに設けられ、前記ゼット孔への洗浄水の供給と止水を行うゼット用排水弁と、
該ゼット用排水弁を通過した洗浄水を前記ゼット孔に導くゼット導水路と、
前記ゼット用洗浄水タンクの上部に設けられ、前記ボウルの上部に設けられたリム孔から給水すべき洗浄水を収容するリム用洗浄水タンクと、
該リム用洗浄水タンクに設けられ、前記リム孔への洗浄水の供給と止水を行うリム用排水弁と、
該リム用排水弁を通過した洗浄水を前記リム弁に導く洗浄水導水路と、
前記ボウルの排出口に接続され、該ボウル内の汚物を排出するトラップと、
該トラップの上流部に形成された導気孔と、
一端が導気孔に連通され、一部が前記ゼット用洗浄水タンクと前記リム用洗浄水タンクの間の空間に開放されている吸気孔に連通された導気通路と、
前記吸気孔に装着され、吸音性もしくは消音性を有する音低減部材と、を有することを特徴とする水洗大便器
【請求項４】
前記給水手段は、洗浄水を収容する洗浄水タンクであり、
前記吸気孔は、前記洗浄水タンク内に形成され、
前記導気通路は、前記吸気孔に装着された前記音低減部材を介して空気を吸気することを特徴とする請求項１または請求項２記載の水洗大便器。
【請求項５】
前記給水手段は、洗浄水を収容する洗浄水タンクであり、
前記吸気孔は、前記洗浄水タンクの底部に設けられ、
前記音低減部材は、一端を洗浄水タンクに収容される洗浄水より上部に設けたことを特徴とする請求項１記載の水洗大便器。
【請求項６】
前記音低減部材は、前記吸気孔に嵌着されていることを特徴とする請求項１から請求項５のいずれかに記載の水洗大便器。
【請求項７】
前記音低減部材は、弾性体により構成されたことを特徴とする請求項１から請求項６のいずれかに記載の水洗大便器。
【請求項８】
前記弾性体は、ゴムであることを特徴とする請求項７記載の水洗大便器。
【請求項９】
前記音低減部材は、管状の形状をしていることを特徴とする請求項１から請求項８のいずれかに記載の水洗大便器。
【発明の詳細な説明】
【技術分野】
【０００１】
本発明は、水洗大便器に関する。詳しくは、便器本体のボウルを洗浄し、ボウル内の溜水をサイホン作用により排出する水洗大便器に関する。
【背景技術】
【０００２】
一般に、サイホン作用を利用して汚物を排出する水洗大便器（サイホン便器）では、便器本体のボウルの洗浄時に、洗浄水がボウル内に加わると、ボウル内の溜水が溢れてトラップに流れ込む。
このトラップに流れ込んだ水がトラップ内に満水になると、トラップ内が負圧になり、いわゆる「サイホン作用」が発生する。このサイホン作用により、ボウル内の溜水は一気にトラップ内に引き込まれ、ボウル内にあった汚物は、溜水と共にトラップ内に引き込まれ、ボウル内が空となり、その後、ボウルは再び封水される。
このボウル内が空となる際、ボウルからトラップ内に空気が入り込んでサイホン作用が消滅する状態、いわゆる「サイホン切れ」の状態が起こる。このサイホン切れの状態では、「ジャー」という洗浄音が所定時間継続した後に、ボウルからトラップの入口の上縁を介し、トラップ内に空気が強く引き込まれる「ボコ、ボコ」という不快音、いわゆる「サイホン切れ音」が発生する。
【０００３】
従来、このサイホン切れ音を抑制するために、例えば、特許文献１に記載されているような技術が提案されている。すなわち、便器本体の排泄空間とトラップとの間に隔壁を設け、隔壁の下端とトラップの溜水面の略中間位置で、かつトラップの側面位置に導気孔を形成し、この導気孔に空気が供給されるように、トラップ上端より上方で開口した導気管を導気孔に接続したサイホン便器が知られている（特許文献１）。
【０００４】
このようなサイホン便器では、トラップ内が満水となってサイホン作用が発生して負圧
状態になると、導気管内の溜水がトラップ内に引き込まれ、導気管内の空気が導気孔からトラップ内に導入されるようになっている。このように導気管内の空気がトラップ内に導入されることにより、サイホン作用によるボウル内の溜水をトラップ内へ吸引する力を弱めて、終始ボウル内の水位がトラップの入口の上縁よりも低下しないようにすることで、「サイホン切れ音」の発生を防止している。
【０００５】
【特許文献１】特開平８-１３５９３号公報
【発明の開示】
【発明が解決しようとする課題】
【０００６】
しかしながら、上述したような従来のサイホン便器においては、導気管内の空気をトラップ内に導入させることにより、サイホン作用によるボウル内の溜水をトラップ内へ吸引する力を弱めて、終始ボウル内の水位がトラップの入口の上縁よりも低下しないようにすることで、「サイホン切れ音」の発生を防止しているが、この導気管を新たに設けることにより、この導気管が新たな音の発生源となり、その音が水洗大便器の使用者に不快感を与えるという問題があった。
【０００７】
本発明は、上記課題を解決するためになされたものであり、洗浄後の「サイホン切れ音」を抑制するとともに、導気通路を新たに設けることによって生ずる「導気通路内から洗浄水タンクに伝播する共鳴音」も低減することができる水洗大便器を提供することを目的としている。
【課題を解決するための手段】
【０００８】
上記課題を解決して上記目的を達成するために、本発明のうち第１の態様に係るものは、  給水手段からボウルに洗浄水を導くように形成された導水路と、ボウルの排出口に接続され、ボウル内の汚物を排出するトラップと、トラップの上流部に形成された導気孔と、一端が導気孔に連通され、一部に空気を吸気する吸気孔を有する導気通路と、吸気孔に装着され、吸音性もしくは消音性を有する音低減部材と、を有することを特徴とするものである。
【０００９】
このように構成された水洗大便器では、洗浄水が給水手段から導水路によってボウル内の溜水に導かれると、ボウル内の溜水はボウルの排出口からトラップ内に流れてトラップ内で満水となり、サイホン作用を引き起こす。サイホン作用が引き起こされると、導気通路内の溜水が導気孔を通ってトラップ内に排水され、大気が導気通路を通ってトラップ内に導入され始める。そして、導気通路内がほとんど空気のみになった状態で導気孔から不快な音が入り込み、その音が導気通路内で共鳴し、洗浄水タンクに伝播する。
【００１０】
この構成によれば、導気通路の一部の吸気孔に、吸音性もしくは消音性を有する音低減部材を装着しているので、たとえば、導気通路内の溜水がほとんどトラップ内に引き出されて空気のみとなった状態で、ボウル内の空気を巻き込んだ溜水（洗浄水も含む）がトラップに引き込まれ、その溜水に含まれる空気が圧縮された状態で導気通路に入り込み、そして、導気通路内に入り込んだ圧縮空気が開放される際に「ジャー」という不快な音が生ずる場合、また、導気通路内がほとんど空気のみとなっている状態で、導気通路の表面を空気を巻き込んだ溜水などが擦れるようにして流れることにより、導気通路付近の空気の圧力が変動し「ジャー」という不快な音が生ずる場合、また、トラップ内の負圧状態が解消して、導気通路に水が逆流するときに不快な音が生ずる場合でも、吸音性もしくは消音性を有する音低減部材により導気通路内の共鳴音を低減することができ、導気通路から導気通路外に伝播する共鳴音を小さくすることができる。これにより、使用者にとって特に耳障りにならない程度まで共鳴音を小さくすることができる。
【００１１】
本発明のうち第２の態様に係るものは、給水手段からボウルに洗浄水を導くように形成された導水路と、ボウルの排出口に接続され、ボウル内の汚物を排出するトラップと、トラップの上流部に形成された導気孔と、一端が導気孔に連通され、他端が大気に開放されている吸気孔に連通された導気通路と、吸気孔に装着され、吸音性もしくは消音性を有する音低減部材と、を有することを特徴とするものである。
この構成によっても、本発明の第１の態様と同様、導気通路の他端の吸気孔に、吸音性もしくは消音性を有する音低減部材を装着しているので、その吸音性もしくは消音性を有する音低減部材より導気通路内の共鳴音を低減することができ、導気通路から導気通路外に伝播する共鳴音を小さくすることができる。これにより、使用者にとって特に耳障りにならない程度まで共鳴音を小さくすることができる。
【００１２】
本発明のうち第３の態様に係るものは、洗浄水を吐出させるゼット孔が底部に形成されたボウルと、ゼット孔から給水すべき洗浄水を収容するゼット用洗浄水タンクと、ゼット用洗浄水タンクに設けられ、ゼット孔への洗浄水の供給と止水を行うゼット用排水弁と、ゼット用排水弁を通過した洗浄水をゼット孔に導くゼット導水路と、ゼット用洗浄水タンクの上部に設けられ、ボウルの上部に設けられたリム孔から給水すべき洗浄水を収容するリム用洗浄水タンクと、リム用洗浄水タンクに設けられ、リム孔への洗浄水の供給と止水を行うリム用排水弁と、リム用排水弁を通過した洗浄水をリム弁に導く洗浄水導水路と、ボウルの排出口に接続され、ボウル内の汚物を排出するトラップと、トラップの上流部に形成された導気孔と、一端が導気孔に連通され、一部がゼット用洗浄水タンクとリム用洗浄水タンクの間の空間に開放されている吸気孔に連通された導気通路と、吸気孔に装着され、吸音性もしくは消音性を有する音低減部材と、を有することを特徴とするものである。
この構成によっても、本発明の第１の態様と同様、導気通路の一部の吸気孔に、吸音性もしくは消音性を有する音低減部材を装着しているので、その吸音性もしくは消音性を有する音低減部材より導気通路内の共鳴音を低減することができ、導気通路から導気通路外に伝播する共鳴音を小さくすることができる。これにより、使用者にとって特に耳障りにならない程度まで共鳴音を小さくすることができる。特に、本発明の第３の態様では、吸気孔をゼット用洗浄水タンクとリム用洗浄水タンクの間の開放された空間（便器本体から近い既存の空間）に設けているので、導気通路（吸気孔を含む）の構造が複雑にならず、導気通路の施工性も向上（製作が容易）する。
【００１３】
本発明のうち第４の態様に係るものは、第１または第２の態様に係る水洗大便器であって、給水手段は、洗浄水を収容する洗浄水タンクであり、吸気孔は、洗浄水タンク内に形成され、導気通路は、吸気孔に装着された音低減部材を介して空気を吸気することを特徴とするものである。
この構成によれば、吸気孔に装着された音低減部材を介して導気通路が空気を吸気するので、導気通路内の共鳴音が吸音性もしくは消音性を有する音低減部材の内部に入り込み、その音低減部材の内部で導気通路内の共鳴音を低減することができる。これにより、導気通路から洗浄水タンクに伝播する共鳴音を小さくすることができる。また、吸気孔を洗浄水タンク内に形成しているので、洗浄水タンクに伝播した共鳴音も外部に漏れることもない。これにより、使用者にとって特に耳障りにならない程度まで共鳴音を小さくすることができる。
【００１４】
本発明のうち第５の態様に係るものは、第１の態様に係る水洗大便器であって、給水手段は、洗浄水を収容する洗浄水タンクであり、吸気孔は、洗浄水タンクの底部に設けられ、音低減部材は、一端を洗浄水タンクに収容される洗浄水より上部に設けたことを特徴とするものである。
この構成によれば、吸気孔を便器本体に最も近い洗浄水タンクの底部に設けているので、吸気孔を含む導気通路の加工が容易で、かつ、吸気孔に装着された音低減部材の一端を洗浄水タンクに収容される洗浄水より上部に設けているので、吸気孔から導気通路内に洗浄水タンク内の水が浸入することもない。また、音低減部材（たとえば、ゴム管２８など）を吸気孔から浄水タンクに収容された洗浄水の上部まで延びるように設けているので、音低減部材（たとえば、ゴム管２８など）の長さが比較的長くなり、音低減部材（たとえば、ゴム管２８など）内部での音低減部材に入り込んだ共鳴音の消音効果が特に大きくなる。
【００１５】
本発明のうち第６の態様に係るものは、第１から第５のずれかの態様に係る水洗大便器であって、音低減部材は、吸気孔に嵌着されていることを特徴とするものである。
この構成によれは、導気通路内の共鳴音が音低減部材の側壁に衝突することにより消音し、使用者にとって特に耳障りにならない程度まで共鳴音を小さくすることができる。
【００１６】
本発明のうち第７の態様に係るものは、第１から第６のいずれかの態様に係る水洗大便器であって、音低減部材は、弾性体により構成されたことを特徴とするものである。
本発明のうち第８の態様に係るものは、第７の態様に係る水洗大便器であって、弾性体は、ゴムであることを特徴とするものである。
【００１７】
本発明のうち第９の態様に係るものは、第１から第８のいずれかの態様に係る水洗大便器であって、音低減部材は、管状の形状をしていることを特徴とするものである。
【発明の効果】
【００１８】
本発明の水洗大便器によれば、洗浄後の「サイホン切れ音」を抑制するとともに、導気通路を新たに設けることによって生ずる導気通路内の共鳴音も低減することができる。
【発明を実施するための最良の形態】
【００１９】
以下、本発明の水洗大便器の一実施形態について図面を参照にしながら説明する。
図１は、本発明の一実施形態における水洗大便器の上面図であり、図２は、図１に示す水洗大便器のＩ-Ｉ断面図であり、図３（a）は、図１、図２に示す水洗大便器のA-A断面図、図３（b）は、Ｂ-Ｂ断面図である。
【００２０】
図１〜図３に示すように、水洗大便器１は、陶器からなる便器本体２と、この便器本体２の後部に設けられ、上方に延び、かつ便器本体２を洗浄する洗浄水を収容する洗浄水タンク４とを備えている。
【００２１】
便器本体２は、その中央部から前部にかけて形成されたボウル６と、このボウル６の底部に位置するボウル排出口１３の後方（下流側）に接続されたトラップ１５とを備えている。
【００２２】
また、トラップ１５は、その上流端であるトラップ吸込口（トラップ入口）２６と、このトラップ吸込口２６の下流側に位置するトラップ上側頂部１５ａ及び下側頂部１５ｂとを備え、トラップ吸込口２６から上側頂部１５ａ及び下側頂部１５ｂに向かって斜め上方に延びた後、上側頂部１５ａ及び下側頂部１５ｂよりも下流側では下方に延びている。
【００２３】
また、便器本体２の内部において、洗浄水タンク４の下端に形成された給水口８とボウル６との間及びボウル６の周囲には導水路９が形成されている。この導水路９は、その上流部が給水口８を含むように形成されており、トラップ１５の上側頂部１５ａ付近からボウル６の背面に向かってトラップ１５の上面に沿って延びている。
【００２４】
さらに、ボウル６の上縁にはリム孔１２が形成され、ボウル６の正面側下部には、トラップ吸込口２６に向かって開口するゼット孔１４がボウル排出口１３に隣接して形成されている。
【００２５】
導水路９は、その途中でリム導水路１０とゼット導水路１１とに分岐している。リム導水路１０は、ボウル６のリム孔１２に連通するように形成されており、ゼット導水路１１は、ボウル６を迂回するようにボウル６の外周に沿って、ゼット孔１４を含むように形成されている。このゼット孔１４は、ゼット導水路１１を流れた水をトラップ１５へ向けて噴き出すようになっている。
【００２６】
さらに、洗浄水タンク４の給水口８には排水弁１６が設けられている。ボウル６を洗浄する際に洗浄操作レバー１８を回すと、この排水弁１６が引き上げられて所定時間給水口８が開放され、洗浄水タンク４内に収容されている洗浄水が導水路１０，１１内に流れるようになっている。
【００２７】
また、水洗大便器１は、導気通路２４をさらに備えている。この導気通路２４は、洗浄水タンク４の内部前面に沿って洗浄水タンク４と一体に形成され、上端が大気開放されている吸気室２５と、吸気室２５と連通し、便器本体２の内部における導水路９及びトラップ１５の側面の一部分に沿って一体に形成された導気室２７とによって構成されている。
【００２８】
この導気室２７は、トラップ１５の吸込口２６の上端近傍から上側頂部１５ａにかけてトラップ１５の側面に沿って斜め上方に延びるように形成されている。さらに、導気室２７は、トラップ１５の上側頂部１５ａより上方では、導水路９の側面に沿って斜め上方に延びている。導気室２７の下端には、導気孔３０が設けられている。
【００２９】
この導気孔３０は、トラップ１５の上流部に形成され、トラップ１５とボウル６とを区画する隔壁２９の下端より上部で、隔壁２９の下端近傍（下端上部近傍）に設けられている。この導気孔３０により、トラップ１５と導気室２７とが連通されている。
【００３０】
本実施形態では、部品点数を削減できるため施工性にすぐれ、また、メンテナンス性においても効果的であることから、導気孔３０および導気室２７を陶器で構成し、その導気孔３０および導気室２７を陶器からなる隔壁２９と一体的に形成している。しかしながら、これに限らず、必ずしも導気孔３０および導気室２７を隔壁２９と一体的に形成する必要はなく、また導気孔３０および導気室２７を陶器で構成する必要もない。
【００３１】
また、洗浄待機時の水洗大便器１においては、ボウル６内にほぼトラップ１５の下側頂部１５ｂと同じ高さまで溜水が溜まった状態となるが、この状態では、導気室２７内にもトラップ１５及び導気孔３０を通じてボウル６内の水位と同水位の溜水が溜まるようになっている。ただし、導気室２７内の溜水がボウル６内の溜水よりも少量であること、ボウル６内にはリム孔１２から新たな洗浄水が加わるが導気室２７には新たな水が加わらないことなどから、サイホン作用が発生すれば、導気室２７内の水位降下の速度がボウル６内の水位降下の速度よりも速くなる。
なお、本実施形態の導気孔３０は、縦が約１０ｍｍ、横が約６０ｍｍの略矩形形状をしている。
【００３２】
吸気室２５は、吸気室２５の下端部（洗浄水タンク４の底部の連通部）で導気室２７の上端部と連通している。そして、この吸気室２５は、洗浄水タンク４の底部から洗浄水タンク４の内部前面に沿って上方に延びるように形成されている。吸気室２５の上端部には、吸気孔２０が設けられており、この吸気孔２０を介して導気通路２４が大気開放されている。
【００３３】
吸気孔２０は、図２に示すように、洗浄水タンク４内の水面より上部に形成され、吸気孔２０から導気通路２４内に洗浄水タンク４内の水が浸入しないようになっている。この吸気孔２０の詳細は、図４を用いて後述する。
【００３４】
つぎに、上述した洗浄水タンク４の内部前面に設けられた吸気孔２０について説明する。
図４（ａ）は、本発明の一実施形態における洗浄水タンクに設けられた吸気孔の部分拡大図であり、図４（ｂ）は、同洗浄水タンクに設けられた吸気孔の図４（ａ）C-C線断面図である。
【００３５】
図４（ａ）に示すように、吸気孔２０は、陶器からなる洗浄水タンク４の内部前面に設けられている。この吸気孔２０は、洗浄水タンク４と一体成形された吸気室２５の端面の一部に略円形の穴をあけ加工を行うことにより形成される。本実施形態では、吸気孔２０を吸気室２５の出口断面の略中央部（出口断面略中央部）に一つ設けている。
【００３６】
なお、本実施形態では、吸気孔２０の断面形状を、孔の位置や直径を便宜変更して容易に加工しやすい円形形状としているが、吸気孔２０の断面形状については、円形形状である必要はなく、三角形状や四角形状や八角形状などでもよい。また、吸気孔２０を吸気室２５の出口略中央部に一つ設けるようにしたが、これに限らず、吸気孔２０を吸気室２５の出口略中央部以外の箇所に設けてもよく、また吸気孔２０を２以上設けるようにしてもよい。本実施形態の吸気孔２０は、直径が約１５ｍｍの円形形状をしている。
【００３７】
また、吸気孔２０は、図４（ｂ）に示すように所定の厚みをもっている。本実施形態の吸気孔２０の厚みは、約１０ｍｍである。
なお、本実施形態では、吸気孔２０および吸気室２５を陶器で構成し、その吸気孔２０および吸気室２５を陶器である洗浄水タンク４と一体的に形成しているが、これに限らず、必ずしも吸気孔２０および吸気室２５を洗浄水タンク４と一体的に形成する必要はなく、また吸気孔２０および吸気室２５を陶器で構成する必要もない。
【００３８】
つぎに、上述した吸気孔２０に嵌着される音低減部材について説明する。本実施形態では、吸気孔２０に嵌着（装着）される音低減部材として、吸音性、消音性を有するゴム管２８（弾性体）を用いている。図５は、図４に示す吸気孔に嵌着されるゴム管の斜視図である。
【００３９】
図５に示すように、ゴム管２８は、中空状で円筒形状（管状）をしている。これは、本実施形態では吸気孔２０を円形形状にしていることから、その吸気孔２０にゴム管２８が嵌着（装着）される関係上、吸気孔２０の内形形状とゴム管２８の外形形状を略同一形状にする必要があるからである。そして、ゴム管２８の外周中央部には、ゴム管２８の外径よりも少し大きい外径の突起部が設けられている。これにより、ゴム管２８が吸気孔２０に押し込まれると、この突起部が吸気孔２０の外周部に当たるので、その位置でゴム管２８が吸気孔２０に装着されることとなる。このゴム管２８は、耐塩素性、耐水性、耐寒性などに優れているエチレンプロピレンジエンゴム（ＥＰＤＭ）を材質としている。
【００４０】
なお、ゴム管２８の外形は、吸気孔２０の断面形状（内形形状）と略同一形状にする必要があるため、たとえば吸気孔２０の断面形状が三角形状であれば、それに伴ってゴム管２８の外形も三角形状になり、また吸気孔２０の断面形状が八角形状であれば、それに伴ってゴム管２８の外形も八角形状になる。また、吸気孔２０が２以上設けられた場合には、ゴム管２８もその個々の吸気孔２０に取り付けられる。ここで、ゴム管２８の外径は、吸気孔２０の直径より２ｍｍ程度大きくしている。これにより、吸気孔２０にゴム管２８がはめ込まれると、ゴム管２８の弾性力により、接着剤なしにゴム管２８を吸気孔２０に固定できる。本実施形態のゴム管２８は、内径を約８ｍｍとし、外径を約１７ｍｍとしている。
【００４１】
次に、上述した本発明の一実施形態における水洗大便器１の動作（作用）について説明する。
図６は、本発明の一実施形態における水洗大便器の洗浄工程開始から洗浄工程終了までの一連の工程を説明する側面断面図である。詳しくは、図６（ａ）は、洗浄待機時の動作説明図であり、図６（ｂ）は、洗浄開始によってサイホン作用が発生したサイホン作用発生初期の動作説明図であり、図６（ｃ）は、サイホン作用継続時の動作説明図であり、図６（ｄ）はサイホン作用終了時の動作説明図である。
ここで、図６（ａ）〜図６（ｄ）において、ボウル６及び導気室２７の水面をそれぞれ二点鎖線Ｌ１及び実線Ｌ２で示し、水及び空気の流れをそれぞれ実線矢印及び破線矢印で示している。
【００４２】
まず、図６（ａ）に示すように、洗浄待機時の水洗大便器１の状態では、ボウル６内、トラップ１５内、及び導気室２７内のいずれも、ほぼトラップ１５の下側頂部１５ｂとほぼ同じ高さまで溜水が溜まっている。また、洗浄前の洗浄水タンク４内には洗浄水が溜められているが、その水位は吸気孔２０よりも下方に位置している。
【００４３】
つぎに、図６（ｂ）に示すように、水洗大便器１の洗浄操作レバー１８を回すと、洗浄工程が開始され、排水弁１６が引き上げられ、給水口８が所定時間開放され、洗浄水タンク４内に収容されている洗浄水が導水路９内に流れる。導水路９内の洗浄水は、リム導水路１０を流れてリム孔１２からボウル６の内面に沿って下方に流れる水と、ゼット導水路１１を流れてボウル６を迂回してゼット孔１４へ流れる水とに分かれる。リム導水路１０からリム孔１２を経てボウル６内へ流れた洗浄水は、ボウル６の内面を洗浄し、ボウル６内の溜水と共にボウル排出口１３からトラップ１５内へ流れ込む。一方、ゼット導水路１１らボウル６を迂回してゼット孔１４に流れた水は、このゼット孔１４よりトラップ１５に向けて噴き出される。
【００４４】
さらに、洗浄水がボウル排出口１３及びゼット孔１４よりトラップ１５内に流れ込み、トラップ１５内の水位が満水になると、トラップ１５内が負圧状態になり、ボウル６からトラップ１５内へ溜水を吸引するサイホン作用が開始する。このサイホン作用により、ボウル６内の汚物は溜水と共にトラップ１５内へ引き込まれる。
【００４５】
本実施の形態では、導気孔３０をトラップ１５内に引き込まれる水の流れが比較的遅い位置であるトラップ上流部の隔壁２９下端上部近傍に設けているので、このサイホン作用により、ボウル６内の汚物や紙がトラップ１５内へ引き込まれても、その汚物や紙が導気孔３０に衝突することがなく、導気孔３０に汚物や紙が詰まることもない。
【００４６】
そして、導気室２７は、導気孔３０によりトラップ１５と連通しているため、上述のサイホン作用により、導気室２７内の溜水は導気孔３０を経てトラップ１５内に引き込まれ、導気室２７内の水位が降下する。ここで、上述したように、導気室２７内の溜水がボウル６内の溜水よりも少量であること、ボウル６内にはリム孔１２から新たな洗浄水が加わるが導気室２７には新たな水が加わらないことなどから、サイホン作用が発生すると、導気室２７内の水位がボウル６内の水位よりもはやく降下する。
【００４７】
つぎに、図６（ｃ）に示すように、サイホン作用が継続することにより、導気室２７内の溜水のほとんどが導気孔３０からトラップ１５内に引き出され、導気室２７内の水位が導気孔３０の上縁よりも降下すると、導気室２７内の空気が、導気孔３０を経てトラップ１５内へ引き込まれる。また、導気室２７内のほとんどの溜水が導気孔３０からトラップ１５内に引き出される。
【００４８】
そして、導気孔３０からトラップ１５内に空気が引き込まれることにより、その分トラップ１５内の負圧が小さくなり、サイホン作用によるボウル６からトラップ１５内へ溜水を吸引する力が弱まる。このとき、ボウル６内の水位は、トラップ吸込口２６の上縁よりも上方に位置しており、ボウル６からトラップ１５の入口の上縁を介し、トラップ１５内に空気が引き込まれる少し前の状態となっている。
【００４９】
本実施の形態では、トラップ１５内に引き込まれる水の流れが比較的遅い位置、すなわち、トラップ１５上流部の隔壁２９下端上部近傍に導気孔３０を設けているので、トラップ１５内を流れる水が影響して導気孔３０からトラップ１５内に流出される空気（空気量）が不安定になることなく、トラップ１５内に導気通路２４の空気（空気量）を安定して供給することができる。
【００５０】
また、導気室２７内の溜水がほとんどトラップ１５内に引き出されて空気のみとなった状態で、ボウル６内の空気を巻き込んだ溜水（洗浄水も含む）がトラップ１５に引き込まれると、その溜水に含まれる空気が圧縮された状態で導気室２７内に入り込み、そして、導気室２７内に入り込んだ圧縮空気が開放される際に「ジャー」という不快な音が生ずる。また、導気室２７内がほとんど空気のみとなっている状態で、導気孔３０の表面を空気を巻き込んだ溜水などが擦れるようにして流れることによっても、導気孔３０付近の空気の圧力が変動し「ジャー」という不快な音が生ずる。また、トラップ１５内の負圧状態が解消して、導気通路２４に水が逆流するときにも不快な音が生ずる。そして、これらの音は、導気通路２４で共鳴し、その導気通路２４での共鳴音が洗浄水タンク４内に伝播する。
【００５１】
本実施形態では、導気通路２４出口に設けられた吸気孔２０に吸音性、消音性を有するゴム管２８が嵌着されているため、導気通路２４内の共鳴音がこのゴム管２８の側壁に衝突することにより、また導気通路２４内の共鳴音がゴム管２８内部に入り込むことにより消音し、使用者にとって特に耳障りにならない程度まで共鳴音を小さくすることができる。
【００５２】
このように、導気通路２４を新たに設けることによって、導気通路２４が新たな音の発生源となり、導気通路２４内で不快な共鳴音が発生することとなるが、この場合でも、吸気孔２０にゴム管２８を設けることにより、導気通路２４内の共鳴音を低減することができ、使用者にとって特に耳障りにならない程度まで音を小さくすることができる。
【００５３】
さらに、図６（ｄ）に示すように、サイホン作用によるボウル６からトラップ１５内へ溜水を吸引する力は弱まりつつも持続しているため、ボウル６内の水位がさらに低下する。そして、ボウル６内の水位がトラップ吸込口２６の上縁よりも下がり、空気が入り込むことでサイホン作用が終了する。
【００５４】
このように、サイホン作用により導気通路２４内の空気がトラップ１５内に引き込まれる場合でも、本実施形態では、トラップ１５上流部の隔壁２９下端上部近傍に導気孔３０を設けているので、導気通路２４内の空気がトラップ１５内に導入されるタイミングを引き伸ばすことができ、そのタイミングまで洗浄に十分なサイホン作用を維持することができるとともに、導気通路２４内の空気が導気孔３０からトラップ１５内に導入され、サイホン作用による負圧を低減できるので、ボウル６の空気がトラップ吸込口２６の上縁部からトラップ１５内へ強く引き込まれることがなく、「ボコ、ボコ」という不快な音、すなわち「サイホン切れ音」も抑制することができる。なお、実施例では、ボウル６内の水位がトラップ吸込口２６の上縁よりも下がり、空気が入り込むことでサイホン作用が終了するようにしたが、導気孔３０からトラップ１５内への空気の導入により、トラップ吸込口２６の上縁よりも水位が上の状態でサイホン作用を終了することも可能である。
【００５５】
すなわち、この導気孔３０がトラップ１５内の高い位置にあると、サイホン作用が発生してから比較的早い時期に導気室２７内の溜水がトラップ１５内に引き込まれ、比較的早い時期に導気孔３０からトラップ１５内へ導入されることになり、サイホン作用によるボウル６内の溜水がトラップ１５内に吸引する力も比較的早期に弱まってしまい、比較的早い時期に洗浄力が低下してしまうが、本実施形態では、ボウル６内からトラップ１５内に空気が引き込まれる箇所に導気孔３０が設けられているので、ボウル６内からトラップ１５内に空気が引き込まれる直前までサイホン作用を維持することができ、洗浄に十分なサイホン作用を維持することができる。
【００５６】
次に、本発明の第２実施形態における水洗大便器について説明する。
図７は、本発明の第２実施形態における水洗大便器の側面断面図である。なお、図１から図３に示した水洗大便器（第１実施形態の水洗大便器）と同一構成を有するものについては同一符号を付し、また同一機能を有するものとし、その説明は省略する。
【００５７】
本発明の第２実施形態の水洗大便器と第１実施形態の水洗大便器の違いは、第１実施形態では、吸気室２５を洗浄水タンク４の底部から洗浄水タンク４の内部前面に沿って上方に延びるように形成し、その吸気室２５の上端部に吸気孔２０を設け、そして吸気孔２０にゴム管２８をはめ込んだものであったのに対し、第２実施形態の水洗大便器では、洗浄水タンク４の底部に吸気孔２０を設け、その吸気孔２０にゴム管２８をはめ込んで形成したものである。
【００５８】
図７に示すように、本発明の第２実施形態の水洗大便器１は、第１実施形態と同様に、導気通路２４を備えている。この導気通路２４は、便器本体２の内部における導水路９及びトラップ１５の側面の一部分に沿って一体に形成された導気室２７によって構成されている。
【００５９】
この導気室２７は、トラップ１５の吸込口２６の上端近傍から上側頂部１５ａにかけてトラップ１５の側面に沿って斜め上方に延びるように形成されている。さらに、導気室２７は、トラップ１５の上側頂部１５ａより上方では、導水路９の側面に沿って斜め上方に延び、導気室２７の上端部は、洗浄水タンク４の底面に形成された吸気孔２０を含むように形成されている。そして、その吸気孔２０にゴム管２８が水密にはめ込まれ、ゴム管２８と導気室２７とは、吸気孔２０によってのみで連通されるようになっている。このゴム管２８は、図７に示すように、洗浄水タンク４内に設けられ、上端の開口部で大気開放されている。また、ゴム管２８と導気室２７の連通部分は、完全にシールされていることから、洗浄水タンク４内の水が吸気孔２０から導気室２７内に浸入することはない。このゴム管２８は、吸音性、消音性を有するゴムにより構成されている。
【００６０】
なお、本実施形態では、ゴム管２８の全体をゴムにより構成したが、これに限らず、ゴム管２８の一部をゴムにより構成するようにしてもよい。このようにすれば、柔らかいゴムによりゴム管２８を構成した場合でも、ゴム管２８を洗浄水タンク４内で真っ直ぐ立たせることができる（直立性向上）
【００６１】
図７に示すゴム管２８は、中空状で円筒形状をしている。これは、本実施形態では吸気孔２０を円形形状にしていることから、その吸気孔２０にゴム管２８が嵌着（装着）される関係上、吸気孔２０の内形形状とゴム管２８の外形形状を略同一形状にする必要があるからである。そして、ゴム管２８の外周部には、ゴム管２８の外径よりも少し大きい外径の突起部が設けられている。これにより、ゴム管２８が吸気孔２０に押し込まれると、この突起部が吸気孔２０の外周部に当たるので、その位置でゴム管２８が吸気孔２０に装着されることとなる。このゴム管２８は、耐塩素性、耐水性、耐寒性などに優れているエチレンプロピレンジエンゴム（ＥＰＤＭ）を材質としている。
【００６２】
なお、ゴム管２８の外形は、吸気孔２０の断面形状（内形形状）と略同一形状にする必要があるため、たとえば吸気孔２０の断面形状が三角形状であれば、それに伴ってゴム管２８の外形も三角形状になり、また吸気孔２０の断面形状が八角形状であれば、それに伴ってゴム管２８の外形も八角形状になる。また、吸気孔２０が２以上設けられた場合には、ゴム管２８もその個々の吸気孔２０に取り付けられる。ここで、ゴム管２８の外径は、吸気孔２０の直径より２ｍｍ程度大きくしている。これにより、吸気孔２０にゴム管２８がはめ込まれると、ゴム管２８の弾性力により、接着剤なしにゴム管２８を吸気孔２０に固定できる。本実施形態のゴム管２８は、内径を約８ｍｍとし、外径を約１７ｍｍとしている。
【００６３】
本発明の第２実施形態においても、第１実施形態同様、導気室２７内の溜水がほとんどトラップ１５内に引き出されて空気のみとなった状態で、ボウル６内の空気を巻き込んだ溜水（洗浄水も含む）がトラップ１５に引き込まれると、その溜水に含まれる空気が圧縮された状態で導気室２７内に入り込み、そして、導気室２７内に入り込んだ圧縮空気が開放される際に「ジャー」という不快な音が生ずる。また、導気室２７内がほとんど空気のみとなっている状態で、導気孔３０の表面を空気を巻き込んだ溜水などが擦れるようにして流れることによっても、導気孔３０付近の空気の圧力が変動し「ジャー」という不快な音が生ずる。また、トラップ１５内の負圧状態が解消して、導気通路２４に水が逆流するときにも不快な音が生ずる。そして、これらの音は、導気通路２４で共鳴し、その導気通路２４での共鳴音が洗浄水タンク４内に伝播する。
【００６４】
本実施形態では、導気室２７の上端部に設けられた吸気孔２０にゴム管２８が嵌着されているため、導気室２７内の共鳴音がこのゴム管２８の側壁に衝突することにより、また導気室２７内の共鳴音がゴム管２８内部に入り込むことにより消音し、使用者にとって特に耳障りにならない程度まで共鳴音を小さくすることができる。
特に、第２実施形態では、第１実施形態と比較して、ゴム管２８の長さが長いため、ゴム管２８内部でのゴム管２８に入り込んだ共鳴音の消音効果が大きい。
【００６５】
このように、導気通路２４を新たに設けることによって、導気通路２４が新たな音の発生源となり、導気通路２４内で不快な共鳴音が発生することとなるが、この場合でも、吸気孔２０にゴム管２８を設けることにより、導気通路２４内の共鳴音を低減することができ、使用者にとって特に耳障りにならない程度まで音を小さくすることができる。
【００６６】
次に、本発明の第３実施形態における水洗大便器について説明する。
図８は、本発明の第３実施形態における水洗大便器の側面断面図である。なお、図１から図３に示した水洗大便器（第１実施形態の水洗大便器）と同一構成を有するものについては同一符号を付し、また同一機能を有するものとし、その説明は省略する。
【００６７】
本発明の第３実施形態の水洗大便器と第１実施形態の水洗大便器の違いは、第１実施形態では、吸気室２５を洗浄水タンク４の底部から洗浄水タンク４の内部前面に沿って上方に延びるように形成し、その吸気室２５の上端部に吸気孔２０を設け、そして吸気孔２０にゴム管２８をはめ込んだものであったのに対し、第３実施形態の水洗大便器では、洗浄水タンク４を外包するカバー部５を設け、その洗浄水タンク４とカバー部５の間の空間に臨む、吸気室２５の上端部の吸気孔２０にゴム管２８をはめ込んで形成したものである。
【００６８】
図８に示すように、本発明の第３実施形態の水洗大便器１は、第１実施形態および第２実施形態と同様に、導気通路２４を備えている。この導気通路２４は、便器本体２の内部における導水路９及びトラップ１５の側面の一部分に沿って一体に形成された導気室２７によって構成されている。
【００６９】
この導気室２７は、トラップ１５の吸込口２６の上端近傍から上側頂部１５ａにかけてトラップ１５の側面に沿って斜め上方に延びるように形成されている。さらに、導気室２７は、トラップ１５の上側頂部１５ａより上方では、導水路９の側面に沿って斜め上方に延び、導気室２７の上端部には、洗浄水タンク４外の前面底部で、洗浄水タンク４とカバー部５の間の空間に臨む吸気孔２０が形成されている。そして、その吸気孔２０にゴム管２８がはめ込まれ、ゴム管２８と導気室２７とは、吸気孔２０によってのみで連通されるようになっている。このゴム管２８は、図８に示すように、上端の開口部で大気開放されている。このように、本実施形態では、ゴム管２８を洗浄水タンク４外に設けているので、洗浄水タンク４内の水が吸気孔２０から導気室２７内に浸入することはない。このゴム管２８は、吸音性、消音性を有するゴムにより構成されている。
【００７０】
図８に示すゴム管２８は、中空状で円筒形状をしている。これは、本実施形態では吸気孔２０を円形形状にしていることから、その吸気孔２０にゴム管２８が嵌着（装着）される関係上、吸気孔２０の内形形状とゴム管２８の外形形状を略同一形状にする必要があるからである。そして、ゴム管２８の外周部には、ゴム管２８の外径よりも少し大きい外径の突起部が設けられている。これにより、ゴム管２８が吸気孔２０に押し込まれると、この突起部が吸気孔２０の外周部に当たるので、その位置でゴム管２８が吸気孔２０に装着されることとなる。このゴム管２８は、耐塩素性、耐水性、耐寒性などに優れているエチレンプロピレンジエンゴム（ＥＰＤＭ）を材質としている。
【００７１】
なお、ゴム管２８の外形は、吸気孔２０の断面形状（内形形状）と略同一形状にする必要があるため、たとえば吸気孔２０の断面形状が三角形状であれば、それに伴ってゴム管２８の外形も三角形状になり、また吸気孔２０の断面形状が八角形状であれば、それに伴ってゴム管２８の外形も八角形状になる。また、吸気孔２０が２以上設けられた場合には、ゴム管２８もその個々の吸気孔２０に取り付けられる。ここで、ゴム管２８の外径は、吸気孔２０の直径より２ｍｍ程度大きくしている。これにより、吸気孔２０にゴム管２８がはめ込まれると、ゴム管２８の弾性力により、接着剤なしにゴム管２８を吸気孔２０に固定できる。本実施形態のゴム管２８は、内径を約８ｍｍとし、外径を約１７ｍｍとしている。
【００７２】
本発明の第３実施形態においても、第１実施形態同様、導気室２７内の溜水がほとんどトラップ１５内に引き出されて空気のみとなった状態で、ボウル６内の空気を巻き込んだ溜水（洗浄水も含む）がトラップ１５に引き込まれると、その溜水に含まれる空気が圧縮された状態で導気室２７内に入り込み、そして、導気室２７内に入り込んだ圧縮空気が開放される際に「ジャー」という不快な音が生ずる。また、導気室２７内がほとんど空気のみとなっている状態で、導気孔３０の表面を空気を巻き込んだ溜水などが擦れるようにして流れることによっても、導気孔３０付近の空気の圧力が変動し「ジャー」という不快な音が生ずる。また、トラップ１５内の負圧状態が解消して、導気通路２４に水が逆流するときにも不快な音が生ずる。そして、これらの音は、導気通路２４で共鳴し、その導気通路２４での共鳴音がタンク部５内に伝播する。
【００７３】
本実施形態では、導気室２７の上端部に設けられた吸気孔２０にゴム管２８が嵌着されているため、導気室２７内の共鳴音がこのゴム管２８の側壁に衝突することにより、また導気室２７内の共鳴音がゴム管２８内部に入り込むことにより消音し、使用者にとって特に耳障りにならない程度まで共鳴音を小さくすることができる。
特に、第３実施形態では、洗浄水タンク４とカバー部５の間にできた空間（洗浄水タンク４が小さいときなどにできる既存の空間）の臨むように吸気孔２０を形成し、その吸気孔２０にゴム管２８をはめ込んでいるので、導気通路（吸気孔を含む）の構造が複雑にならず、導気通路の施工性も向上（製作が容易）する。
【００７４】
このように、導気通路２４を新たに設けることによって、導気通路２４が新たな音の発生源となり、導気通路２４内で不快な共鳴音が発生することとなるが、この場合でも、吸気孔２０にゴム管２８を設けることにより、導気通路２４内の共鳴音を低減することができ、使用者にとって特に耳障りにならない程度まで音を小さくすることができる。
【００７５】
次に、本発明の第４実施形態における水洗大便器について説明する。
図９（ａ）は、本発明の第４実施形態における水洗大便器の上面図であり、図９（ｂ）は、本発明の第４実施形態における水洗大便器の側面断面図である。なお、図１から図３に示した水洗大便器（第１実施形態の水洗大便器）と同一構成を有するものについては同一符号を付し、また同一機能を有するものとし、その説明は省略する。
【００７６】
本発明の第４実施形態の水洗大便器と第１実施形態の水洗大便器の違いは、第１実施形態では、吸気室２５を洗浄水タンク４の底部から洗浄水タンク４の内部前面に沿って上方に延びるように形成し、その吸気室２５の上端部に吸気孔２０を設け、そして吸気孔２０にゴム管２８をはめ込んだものであったのに対し、第４実施形態の水洗大便器では、洗浄水タンク４の内部に、リム孔１２に給水する洗浄水を収容するリム用洗浄水タンク２１と、ゼット孔１４に給水する洗浄水を収容するセット用洗浄水タンク２２とを別々を設け、そのセット用洗浄水タンク２２とその上部に設けられたリム用洗浄水タンク２１の間の洗浄水タンク４の前面側に吸気孔２０を形成し、その吸気孔２０にゴム管２８をはめ込んで形成したものである。
【００７７】
図９に示すように、本発明の第４実施形態の水洗大便器１は、リム孔１２から給水すべき洗浄水を収容するリム用洗浄水タンク２１と、ゼット孔１４から給水すべき洗浄水を収容するセット用洗浄水タンク２２と、リム用洗浄水タンク２１に設けられ、２つのリム孔１２への洗浄水の供給と止水を行うリム用排水弁１６ａと、セット用洗浄水タンク２２に設けられ、ゼット孔１４への洗浄水の供給と止水を行うゼット用排水弁１６ｂとを有する。また、水洗大便器１は、リム用洗浄水タンク２１内の洗浄水をリム孔１２に導くリム導水路１０と、セット用洗浄水タンク２２内の洗浄水をゼット孔１４に導くゼット導水路１１とを有する。また、本実施形態において、リム用洗浄水タンク２１、セット用洗浄水タンク２２、リム導水路１０、ゼット導水路１１は、陶器で成形されている。
【００７８】
リム用洗浄水タンク２１は、洗浄水タンク４内の上部に設けられている。リム用洗浄水タンク２１の底面には、リム用給水口８aが形成されており、このリム用給水口８aにはリム用排水弁１６ａが設けられている。そして、リム用排水弁１６ａの下側には、リム導水路１０が形成されており、リム用排水弁１６ａを通過した洗浄水はリム導水路１０に流入するようになっている。
【００７９】
セット用洗浄水タンク２２は、リム用洗浄水タンク２１の下部に設けられている。セット用洗浄水タンク２２の底面には、ゼット用給水口８ｂが形成されており、このゼット用給水口８ｂにはゼット用排水弁１６ｂが設けられている。ゼット用排水弁１６ｂは、上述したリム用排水弁１６ａよりも大きく形成されている。ゼット用排水弁１６ｂの下側には、ゼット導水路１１ｄが形成されており、ゼット用排水弁１６ｂを通過した洗浄水はゼット導水路１１に流入し、ゼット孔１４から吐出されるようになっている。
【００８０】
そして、水洗大便器１の使用者が洗浄操作レバー１８を回すと、排水弁操作機構（図示略）により、排水弁１６ａ、１６ｂがそれぞれ引き上げられて、所定時間給水口８ａ、８ｂが開放され、洗浄水タンク２１、２２内に収容されている洗浄水が導水路１０、１１内に流れるようになっている。
【００８１】
図９（ｂ）に示すように、本発明の第４実施形態の水洗大便器１は、第１実施形態と同様に、導気通路２４を備えている。この導気通路２４は、便器本体２の内部におけるトラップ１５の側面の一部分に沿って一体に形成された導気室２７によって構成されている。
【００８２】
この導気室２７は、トラップ１５の吸込口２６の上端近傍から上側頂部１５ａにかけてトラップ１５の上面に沿って上方に延びるように形成されている。さらに、導気室２７は、トラップ１５の上側頂部１５ａより上方では、洗浄水タンク４の前面に沿って上方に延び、導気室２７の上端後部は、洗浄水タンク４の前面に形成された吸気孔２０を含むように形成されている。そして、その吸気孔２０にゴム管２８がはめ込まれ、ゴム管２８と導気室２７とは、吸気孔２０によってのみで連通されるようになっている。そして、ゴム管２８は、図９（ｂ）に示すように、セット用洗浄水タンク２２とその上部に設けられたリム用洗浄水タンク２１の間の空間に大気開放されている。このゴム管２８は、吸音性、消音性を有するゴムにより構成されている。
【００８３】
図９（ｂ）に示すように、ゴム管２８は、中空状で円筒形状をしている。これは、本実施形態では吸気孔２０を円形形状にしていることから、その吸気孔２０にゴム管２８が嵌着（装着）される関係上、吸気孔２０の内形形状とゴム管２８の外形形状を略同一形状にする必要があるからである。そして、ゴム管２８の外周中央部には、ゴム管２８の外径よりも少し大きい外径の突起部が設けられている。これにより、ゴム管２８が吸気孔２０に押し込まれると、この突起部が吸気孔２０の外周部に当たるので、その位置でゴム管２８が吸気孔２０に装着されることとなる。このゴム管２８は、耐塩素性、耐水性、耐寒性などに優れているエチレンプロピレンジエンゴム（ＥＰＤＭ）を材質としている。
【００８４】
なお、ゴム管２８の外形は、吸気孔２０の断面形状（内形形状）と略同一形状にする必要があるため、たとえば吸気孔２０の断面形状が三角形状であれば、それに伴ってゴム管２８の外形も三角形状になり、また吸気孔２０の断面形状が八角形状であれば、それに伴ってゴム管２８の外形も八角形状になる。また、吸気孔２０が２以上設けられた場合には、ゴム管２８もその個々の吸気孔２０に取り付けられる。ここで、ゴム管２８の外径は、吸気孔２０の直径より２ｍｍ程度大きくしている。これにより、吸気孔２０にゴム管２８がはめ込まれると、ゴム管２８の弾性力により、接着剤なしにゴム管２８を吸気孔２０に固定できる。本実施形態のゴム管２８は、内径を８ｍｍとし、外径を１７ｍｍとしている。
【００８５】
本発明の第４実施形態において、水洗大便器１の洗浄操作レバー１８を回すと、洗浄工程が開始され、排水弁操作機構（図示略）によって、リム用排水弁１６ａ及びゼット用排水弁１６ｂが引き上げられ、リム用給水口８ａ及びゼット用給水口８ｂが所定時間開放され、リム用洗浄水タンク２１及びセット用洗浄水タンク２２内にそれぞれ収容されている洗浄水がリム導水路１０ｄ及びゼット導水路１１ｄ内をそれぞれ流れる。そして、リム導水路１０ｄからリム孔１２を経てボウル６内へ流れた洗浄水は、ボウル６の内面を洗浄し、ボウル６内の溜水と共にボウル排出口１３からトラップ１５内へ流れ込む。一方、ゼット導水路１１ｄからボウル６を迂回してゼット孔１４に流れた水は、このゼット孔１４よりトラップ１５に向けて噴き出される。
【００８６】
さらに、洗浄水がボウル排出口１３及びゼット孔１４よりトラップ１５内に流れ込み、トラップ１５内の水位が満水になると、第１実施形態と同様、トラップ１５内が負圧状態になり、ボウル６からトラップ１５内へ溜水を吸引するサイホン作用が開始する。このサイホン作用により、ボウル６内の汚物は溜水と共にトラップ１５内へ引き込まれる。
【００８７】
本発明の第４実施形態においても、第１実施形態同様、導気室２７内の溜水がほとんどトラップ１５内に引き出されて空気のみとなった状態で、ボウル６内の空気を巻き込んだ溜水（洗浄水も含む）がトラップ１５に引き込まれると、その溜水に含まれる空気が圧縮された状態で導気室２７内に入り込み、そして、導気室２７内に入り込んだ圧縮空気が開放される際に「ジャー」という不快な音が生ずる。また、導気室２７内がほとんど空気のみとなっている状態で、導気孔３０の表面を空気を巻き込んだ溜水などが擦れるようにして流れることによっても、導気孔３０付近の空気の圧力が変動し「ジャー」という不快な音が生ずる。また、トラップ１５内の負圧状態が解消して、導気通路２４に水が逆流するときにも不快な音が生ずる。そして、これらの音は、導気通路２４で共鳴し、その導気通路２４での共鳴音が洗浄水タンク４内に伝播する。
【００８８】
本実施形態では、導気室２７の上端後部に設けられた吸気孔２０にゴム管２８が嵌着されているため、導気室２７内の共鳴音がこのゴム管２８の側壁に衝突することにより、また導気室２７内の共鳴音がゴム管２８内部に入り込むことにより消音し、使用者にとって特に耳障りにならない程度まで共鳴音を小さくすることができる。
【００８９】
このように、導気通路２４を新たに設けることによって、導気通路２４が新たな音の発生源となり、導気通路２４内で不快な共鳴音が発生することとなるが、この場合でも、吸気孔２０にゴム管２８を設けることにより、導気通路２４内の共鳴音を低減することができ、使用者にとって特に耳障りにならない程度まで音を小さくすることができる。
【００９０】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００９１】
次に本発明の変形例について説明する。
（１）  上記実施形態では、ゴム管２８を吸気孔２０に嵌着するものであったが、これに限らず、吸気孔２０にゴム管２８をはめ込むのでなく、吸気孔２０の表面にゴム管２８を接触させ、その部分で接合（装着）するようにしてもよい。すなわち、吸気孔２０の表面にフランジを設け、そのフランジにゴム管２８を差し込むようなものであってもよい。
この場合でも、導気通路２４内の共鳴音がゴム管２８内部に入り込むことにより消音し、使用者にとって特に耳障りにならない程度まで共鳴音を小さくすることができる。
【００９２】
（２）  上記実施形態では、吸気孔２０の内形形状をゴム管２８の外形形状と略同一形状にするものであったが、これに限らず、たとえば、変形例（１）のように、吸気孔２０の表面にゴム管２８を接触させ、その部分で接合（装着）させる場合は、必ずしも吸気孔２０の内形形状をゴム管２８の外形形状と略同一形状にする必要はない。
【００９３】
（３）  上記実施形態では、音低減部材として、ゴム管２８を用いたが、必ずしもゴム管２８である必要はなく、吸音性もしくは消音性を有する弾性体であってもよく、さらに、弾性体でなくても、たとえばトランペットの消音ミュート（底面が円形で、上面に開口部を有するアルミ製（開口部以外は内部が密閉）のもの）のようなものであってもよい。この場合、消音ミュートの開口部を吸気孔２０にはめ込んで、吸気孔２０に消音ミュートを装着する。この場合でも、導気通路２４内の共鳴音が消音ミュート内部に入り込むことにより消音し、使用者にとって特に耳障りにならない程度まで共鳴音を小さくすることができる。
【図面の簡単な説明】
【００９４】
【図１】本発明の一実施形態における水洗大便器の上面図である。
【図２】図１に示す水洗大便器のＩ-Ｉ断面図である。
【図３】（ａ）  図１、図２に示す水洗大便器のA-A断面図である。        （ｂ）  図１、図２に示す水洗大便器のB-B断面図である。
【図４】（ａ）  本発明の一実施形態における洗浄水タンクに設けられた吸気孔の部分拡大図である。（ｂ）  同洗浄水タンクに設けられた吸気孔の図４（a）C-C線断面図である。
【図５】図４に示す吸気孔に嵌着されるゴム管の斜視図である。
【図６ａ】（ａ）  本発明の一実施形態における水洗大便器の洗浄待機時の動作説明図である。
【図６ｂ】（ｂ）  同水洗大便器のサイホン作用発生初期の動作説明図である。
【図６ｃ】（ｃ）  同水洗大便器のサイホン作用継続時の動作説明図である。
【図６ｄ】（ｄ）  同水洗大便器のサイホン作用終了時の動作説明図である。
【図７】本発明の第２実施形態における水洗大便器の側面断面図である。
【図８】本発明の第３実施形態における水洗大便器の側面断面図である。
【図９】（ａ）  本発明の第４実施形態における水洗大便器の上面図である。（ｂ）  同水洗大便器の側面断面図である。
【符号の説明】
【００９５】
１  水洗大便器
２   便器本体
４、４ｄ  洗浄水タンク
６  ボウル
８  給水口
８ａ  リム用給水口
８ｂ  ゼット用給水口
９  導水路
１０  リム導水路
１１  ゼット導水路
１２  リム孔
１３  ボウル排出口
１４  ゼット孔
１５  トラップ
１６  排水弁
１６ａ  リム用排水弁
１６ｂ  ゼット排水弁
１８  洗浄操作レバー
１９  導気管
２０  吸気孔
２１  リム用洗浄水タンク
２２  ゼット用洗浄水タンク
２４  導気通路
２５  吸気室
２６  トラップ吸込口
２７  導気室
２８  ゴム管
２９  隔壁
３０  導気孔
【図１】
2007321353.tif 000003
【図２】
2007321353.tif 000004
【図３】
2007321353.tif 000005
【図４】
2007321353.tif 000006
【図５】
2007321353.tif 000007
【図６ａ】
2007321353.tif 000008
【図６ｂ】
2007321353.tif 000009
【図６ｃ】
2007321353.tif 000010
【図６ｄ】
2007321353.tif 000011
【図７】
2007321353.tif 000012
【図８】
2007321353.tif 000013
【図９】
2007321353.tif 000014